(57)【特許請求の範囲】
【請求項１】
移動通信システムに適用される通信制御方法であって、
コアネットワーク装置とホーム基地局との間の第１の通信路上に設けられ、かつ前記ホーム基地局を管理する第１のゲートウェイ装置から、前記第１のゲートウェイ装置に代わって前記ホーム基地局を管理するための第２のゲートウェイ装置へ切り替えることを、前記コアネットワーク装置又は前記ホーム基地局が決定するステップと、
前記コアネットワーク装置が少なくとも前記ホーム基地局を制御することにより、前記コアネットワーク装置と前記ホーム基地局との間に、前記第１のゲートウェイ装置を経由せず、かつ、前記第２のゲートウェイ装置を経由する第２の通信路を確立する確立ステップと、を有することを特徴とする通信制御方法。
【請求項２】
前記コアネットワーク装置又は前記ホーム基地局は、前記第１のゲートウェイ装置の稼働状況に基づいて、前記第１のゲートウェイ装置から前記第２のゲートウェイ装置への切り替えを決定することを特徴とする請求項１に記載の通信制御方法。
【請求項３】
前記確立ステップにおいて、前記コアネットワーク装置は、
前記第１の通信路の一部を維持しながら、前記第１のゲートウェイ装置及び前記第２のゲートウェイ装置の両方を経由する移行用通信路を確立するように、前記第１のゲートウェイ装置及び前記第２のゲートウェイ装置を制御し、
前記移行用通信路の一部を維持しながら、前記第２の通信路を確立するように、前記ホーム基地局を制御することを特徴とする請求項１に記載の通信制御方法。
【請求項４】
前記確立ステップで前記第２の通信路を確立する前において、前記コアネットワーク装置及び前記ホーム基地局が、前記第１の通信路を切断する切断ステップをさらに有することを特徴とする請求項１に記載の通信制御方法。
【請求項５】
前記確立ステップで前記第２の通信路を確立した後において、前記コアネットワーク装置又は前記ホーム基地局が、前記第１の通信路を切断する切断ステップをさらに有することを特徴とする請求項１に記載の通信制御方法。
【請求項６】
移動通信システムに適用されるホーム基地局であって、
第１のゲートウェイ装置を経由する第１の通信路を用いてコアネットワーク装置との通信を行う通信部と、
前記第１のゲートウェイ装置に代わって前記ホーム基地局を管理するための第２のゲートウェイ装置へ切り替えることを決定する制御部と、有し、
前記制御部は、前記コアネットワーク装置の制御下で、前記コアネットワーク装置と前記ホーム基地局との間に、前記第１のゲートウェイ装置を経由せず、かつ、前記第２のゲートウェイ装置を経由する第２の通信路を確立することを特徴とするホーム基地局。
【請求項７】
移動通信システムに適用されるコアネットワーク装置であって、
第１のゲートウェイ装置を経由する第１の通信路を用いてホーム基地局との通信を行う通信部と、
前記第１のゲートウェイ装置に代わって前記ホーム基地局を管理するための第２のゲートウェイ装置へ切り替えることを決定する制御部と、有し、
前記制御部は、少なくとも前記ホーム基地局を制御することにより、前記コアネットワーク装置と前記ホーム基地局との間に、前記第１のゲートウェイ装置を経由せず、かつ、前記第２のゲートウェイ装置を経由する第２の通信路を確立することを特徴とするコアネットワーク装置。
【発明の詳細な説明】
【技術分野】
【０００１】
本発明は、移動通信システムにおける通信制御方法、ホーム基地局、及びコアネットワーク装置に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、住居や会社に設けられる小型基地局であるホーム基地局、及び複数のホーム基地局を管理するゲートウェイ装置の仕様が策定されている（非特許文献１参照）。【０００３】
このようなゲートウェイ装置は、コアネットワークに設けられる装置（コアネットワーク装置）の代わりに、配下のホーム基地局を管理することができるため、コアネットワーク側の負荷を軽減することができる。
【先行技術文献】
【非特許文献】
【０００４】
【非特許文献１】３ＧＰＰ技術仕様  「ＴＳ  ３６．３００  Ｖ１１．０．０」  ２０１１年１２月
【発明の概要】
【０００５】
例えばゲートウェイ装置の異常又は故障などの理由により、ゲートウェイ装置を停止させることが好ましいケースが生じると考えられる。
【０００６】
しかしながら、現状の仕様には、そのようなケースが考慮されていないという問題がある。
【０００７】
そこで、本発明は、ゲートウェイ装置を停止するケースに適切に対処できる通信制御方法、ホーム基地局、及びコアネットワーク装置を提供することを目的とする。
【０００８】
本発明の通信制御方法は、移動通信システムに適用される通信制御方法であって、コアネットワーク装置とホーム基地局との間の第１の通信路上に設けられ、かつ前記ホーム基地局を管理する第１のゲートウェイ装置から、前記第１のゲートウェイ装置に代わって前記ホーム基地局を管理するための第２のゲートウェイ装置へ切り替える切り替えステップを備え、前記切り替えステップは、前記コアネットワーク装置と前記ホーム基地局との間に、前記第１のゲートウェイ装置を経由せず、かつ、前記第２のゲートウェイ装置を経由する第２の通信路を確立する確立ステップを有する。
【０００９】
前記通信制御方法は、前記コアネットワーク装置又は前記ホーム基地局が、前記第１のゲートウェイ装置の稼働状況に基づいて、前記第１のゲートウェイ装置から前記第２のゲートウェイ装置への切り替えを決定する決定ステップをさらに有してもよい。
【００１０】
前記確立ステップは、前記第１の通信路の一部を維持しながら、前記第１のゲートウェイ装置及び前記第２のゲートウェイ装置の両方を経由する移行用通信路を確立するステップと、前記移行用通信路の一部を維持しながら、前記第２の通信路を確立するステップと、を含んでもよい。
【００１１】
前記切り替えステップは、前記確立ステップで前記第２の通信路を確立する前において、前記第１の通信路を切断する切断ステップをさらに有してもよい。
【００１２】
前記切り替えステップは、前記確立ステップで前記第２の通信路を確立した後において、前記第１の通信路を切断する切断ステップをさらに有してもよい。
【００１３】
本発明のホーム基地局は、移動通信システムに適用されるホーム基地局であって、第１のゲートウェイ装置を経由する第１の通信路を用いてコアネットワーク装置との通信を行う通信部と、前記第１のゲートウェイ装置に代わって前記ホーム基地局を管理するための第２のゲートウェイ装置へ切り替える場合において、前記コアネットワーク装置と前記ホーム基地局との間に、前記第１のゲートウェイ装置を経由せず、かつ、前記第２のゲートウェイ装置を経由する第２の通信路を確立する制御部と、を有する。
【００１４】
本発明のコアネットワーク装置は、移動通信システムに適用されるコアネットワーク装置であって、第１のゲートウェイ装置を経由する第１の通信路を用いてホーム基地局との通信を行う通信部と、前記第１のゲートウェイ装置に代わって前記ホーム基地局を管理するための第２のゲートウェイ装置へ切り替える場合において、前記コアネットワーク装置と前記ホーム基地局との間に、前記第１のゲートウェイ装置を経由せず、かつ、前記第２のゲートウェイ装置を経由する第２の通信路を確立する制御部と、を有する。
【図面の簡単な説明】
【００１５】
【図１】移動通信システムの構成図である。
【図２】Ｓ１インターフェイスに関するユーザプレーンのプロトコルスタック図である。
【図３】Ｓ１インターフェイスに関する制御プレーンのプロトコルスタック図である。
【図４】ＵＥのブロック図である。
【図５】ＭｅＮＢのブロック図である。
【図６】ＭＭＥのブロック図である。
【図７】ＨｅＮＢのブロック図である。
【図８】ＨｅＮＢ ＧＷのブロック図である。
【図９】動作パターン１を説明するための図である。
【図１０】動作パターン１の具体例１のシーケンス図である。
【図１１】動作パターン１の具体例２のシーケンス図である。
【図１２】各種メッセージのフォーマットの具体例を示す図である。
【図１３】動作パターン２を説明するための図である。
【図１４】動作パターン２の具体例１のシーケンス図である。
【図１５】動作パターン２の具体例２のシーケンス図である。
【図１６】動作パターン３を説明するための図である。
【発明を実施するための形態】
【００１６】
［実施形態の概要］
実施形態に係る通信制御方法は、コアネットワーク装置とホーム基地局との間の第１の通信路上に設けられ、前記ホーム基地局を管理する第１のゲートウェイ装置から、前記第１のゲートウェイ装置に代わって前記ホーム基地局を管理するための第２のゲートウェイ装置へ切り替える切り替えステップを備え、前記切り替えステップは、前記コアネットワーク装置と前記ホーム基地局との間に、前記第１のゲートウェイ装置を経由せず、かつ、前記第２のゲートウェイ装置を経由する第２の通信路を確立する確立ステップを有する。
【００１７】
このように、第１のゲートウェイ装置の異常や故障などの理由により、第１のゲートウェイ装置を停止させることが好ましいケースにおいて、コアネットワーク装置とホーム基地局との間に、第１のゲートウェイ装置を経由せず、かつ、第２のゲートウェイ装置を経由する第２の通信路を確立する。これにより、第１のゲートウェイ装置に代わって第２のゲートウェイ装置がホーム基地局を管理することができる。したがって、ゲートウェイ装置を停止するケースに適切に対処できる。
【００１８】
［実施形態］
本実施形態においては、リリース１０以降の３ＧＰＰ規格（すなわち、ＬＴＥ  Ａｄｖａｎｃｅｄ）に基づいて構成される移動通信システムを例に説明する。
【００１９】
以下において、（１）移動通信システムの概要、（２）ブロック構成、（３）動作、（４）実施形態のまとめの順に説明する。
【００２０】
（１）移動通信システムの概要
図１は、本実施形態に係る移動通信システムの構成図である。図１に示すように、移動通信システムは、ユーザ端末（ＵＥ：Ｕｓｅｒ  Ｅｑｕｉｐｍｅｎｔ）１００と、マクロ基地局（ＭｅＮＢ：Ｍａｃｒｏ  ｅｖｏｌｖｅｄ  Ｎｏｄｅ−Ｂ）２００と、移動管理装置（ＭＭＥ：Ｍｏｂｉｌｉｔｙ  Ｍａｎａｇｅｍｅｎｔ  Ｅｎｔｉｔｙ）３００と、ホーム基地局（ＨｅＮＢ：Ｈｏｍｅ  ｅｖｏｌｖｅｄ  Ｎｏｄｅ−Ｂ）４００と、ゲートウェイ装置（ＨｅＮＢ ＧＷ：Ｈｏｍｅ  ｅｖｏｌｖｅｄ  Ｎｏｄｅ−Ｂ  Ｇａｔｅｗａｙ）５００と、を有する。
【００２１】
ＭｅＮＢ２００、ＨｅＮＢ４００、及びＨｅＮＢ ＧＷ５００のそれぞれは、無線アクセスネットワーク（Ｅ−ＵＴＲＡＮ：Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０に含まれるネットワーク装置である。ＭＭＥ３００は、コアネットワーク（ＥＰＣ：Ｅｖｏｌｖｅｄ  Ｐａｃｋｅｔ  Ｃｏｒｅ）２０に含まれるネットワーク装置である。なお、ＥＰＣ２０には、ＭＭＥ３００と協調して動作するネットワーク装置であるサービングゲートウェイ装置（Ｓ−ＧＷ：Ｓｅｒｖｉｎｇ  Ｇａｔｅｗａｙ）を含む。
【００２２】
ＵＥ１００は、ユーザが所持する移動型無線通信装置である。ＵＥ１００は、通信中の状態に相当する接続状態において、接続を確立したセル（「サービングセル」と称される）との無線通信を行う。ＵＥ１００は、上位レイヤにおいて、ＭＭＥ３００（及びＳ−ＧＷ）との通信を行う。
【００２３】
ＭｅＮＢ２００は、オペレータが設置する大規模な固定型無線通信装置である。ＭｅＮＢ２００は、１又は複数のマクロセルを形成する。ＭｅＮＢ２００は、ＵＥ１００との無線通信を行う。また、ＭｅＮＢ２００は、ＥＰＣ２０との間の論理的な通信路であるＳ１インターフェイス上でＥＰＣ２０との通信を行う。詳細には、ＭｅＮＢ２００は、Ｓ１インターフェイスの一種であるＳ１−ＭＭＥインターフェイス上でＭＭＥ３００との通信を行う。さらに、ＭｅＮＢ２００は、隣接するＭｅＮＢ２００との間の論理的な通信路であるＸ２インターフェイス上で、当該隣接するＭｅＮＢ２００との基地局間通信を行う。
【００２４】
ＭＭＥ３００は、制御情報を取り扱う制御プレーンに対応して設けられており、ＵＥ１００に対する各種モビリティ管理や認証処理などを行う。なお、Ｓ−ＧＷは、ユーザデータを取り扱うユーザプレーンに対応して設けられており、ユーザデータの転送制御などを行う。
【００２５】
ＨｅＮＢ４００は、屋内に設置可能な小規模な固定型無線通信装置である。ＭｅＮＢ２００は、マクロセルよりもカバー範囲が狭い特定セルを形成する。特定セルは、設定されるアクセスモードに応じて、「ＣＳＧ（Ｃｌｏｓｅｄ  Ｓｕｂｓｃｒｉｂｅｒ  Ｇｒｏｕｐ）セル」、「ハイブリッドセル」、又は「オープンセル」と称される。
【００２６】
ＣＳＧセルは、アクセス権を有するＵＥ１００（「メンバーＵＥ」と称される）のみがアクセス可能なセルであり、ＣＳＧ  ＩＤをブロードキャストする。ＵＥ１００は、自身がアクセス権を有するＣＳＧ  ＩＤのリスト（「ホワイトリスト」と称される）を保持しており、当該ホワイトリストと、ＣＳＧセルがブロードキャストするＣＳＧ  ＩＤと、に基づいて、アクセス権の有無を判断する。
【００２７】
ハイブリッドセルは、メンバーＵＥが非メンバーＵＥよりも有利に取り扱われるセルであり、ＣＳＧ  ＩＤに加えて、非メンバーＵＥにも解放されたセルであることを示す情報をブロードキャストする。ＵＥ１００は、ホワイトリストと、ハイブリッドセルがブロードキャストするＣＳＧ  ＩＤと、に基づいて、アクセス権の有無を判断する。
【００２８】
オープンセルは、メンバーであるか否かを問わずＵＥ１００が同等に取り扱われるセルであり、ＣＳＧ  ＩＤをブロードキャストしない。ＵＥ１００の視点では、オープンセルはマクロセルと同等である。
【００２９】
ＨｅＮＢ４００は、Ｓ１インターフェイス（Ｓ１−ＭＭＥインターフェイス）上で、ＨｅＮＢ ＧＷ５００との通信を行う。ただし、ＨｅＮＢ４００は、ＨｅＮＢ ＧＷ５００を経由しないＳ１インターフェイスがＭＭＥ３００との間に確立されている場合には、ＨｅＮＢ ＧＷ５００を介さずにＭＭＥ３００と直接的に通信を行うこともできる。
【００３０】
ＨｅＮＢ ＧＷ５００は、ＥＰＣ２０（ＭＭＥ３００）と複数のＨｅＮＢ４００との間で当該複数のＨｅＮＢ４００の集合を管理する。ＭＭＥ３００の視点では、ＨｅＮＢ ＧＷ５００はＨｅＮＢ４００と同等である。これに対し、ＨｅＮＢ４００の視点では、ＨｅＮＢ ＧＷ５００はＭＭＥ３００と同等である。ＨｅＮＢ ＧＷ５００は、複数のＨｅＮＢ４００を代表してＭＭＥ３００との通信を行うことで、ＭＭＥ３００と送受信すべきトラフィックを削減する。また、ＨｅＮＢ ＧＷ５００は、自身の管理下にある一のＨｅＮＢ４００から他のＨｅＮＢ４００へのデータを中継することもできる。
【００３１】
Ｅ−ＵＴＲＡＮ１０は、主（Ｐｒｉｍａｒｙ）として利用されるＨｅＮＢ ＧＷ５００−１（第１のゲートウェイ装置）と、従（Ｓｅｃｏｎｄａｒｙ）として利用されるＨｅＮＢ ＧＷ５００−２（第２のゲートウェイ装置）と、を含む。ＨｅＮＢ ＧＷ５００−２は、ＨｅＮＢ ＧＷ５００−１に代わってＨｅＮＢ４００を管理するためのものである。
【００３２】
ＨｅＮＢ ＧＷ５００−１は、ＭＭＥ３００とＨｅＮＢ４００との間の第１の通信路上に設けられる。ＨｅＮＢ ＧＷ５００−１に代わってＨｅＮＢ４００を管理するためのＨｅＮＢ ＧＷ５００−２へ切り替える場合において、ＭＭＥ３００とＨｅＮＢ４００との間に、ＨｅＮＢ ＧＷ５００−１を経由せず、かつ、ＨｅＮＢ ＧＷ５００−２を経由する第２の通信路を確立する。
【００３３】
図２及び図３は、ＭＭＥ３００とＨｅＮＢ４００との間に確立される通信路を説明するためのプロトコルスタック図である。
【００３４】
図２に示すようにユーザプレーンについては、レイヤ１（Ｌ１）及びレイヤ２（Ｌ２）上にＩＰ（Ｉｎｔｅｒｎｅｔ  Ｐｒｏｔｏｃｏｌ）及びＵＤＰ（Ｕｓｅｒ  Ｄａｔａｇｒａｍ  Ｐｒｏｔｏｃｏｌ）が設けられ、ＵＤＰ上にＧＴＰ（ＧＰＲＳ  Ｔｕｎｎｅｌｉｎｇ  Ｐｒｏｔｏｃｏｌ）−Ｕが設けられる。ユーザプレーンにおけるＳ１インターフェイスは「Ｓ１−Ｕ」と称される。
【００３５】
図３に示すように、制御プレーンについては、Ｌ１及びＬ２上にＩＰ及びＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）が設けられ、ＳＣＴＰ上にＳ１−ＡＰ（Ｓ１  Ａｐｐｌｉｃａｔｉｏｎ  Ｐｒｏｔｏｃｏｌ）が設けられる。制御プレーンにおけるＳ１インターフェイスは「Ｓ１−ＭＭＥ」と称される。
【００３６】
以下において、用語「Ｓ１インターフェイス」は、Ｓ１−Ｕ及びＳ１−ＭＭＥの両者を含むものとする。
【００３７】
（２）ブロック構成
以下において、ＵＥ１００、ＭｅＮＢ２００、ＭＭＥ３００、ＨｅＮＢ４００、及びＨｅＮＢ ＧＷ５００のそれぞれのブロック構成を説明する。
【００３８】
（２．１）ＵＥ
図４は、ＵＥ１００のブロック図である。図４に示すように、ＵＥ１００は、無線送受信部１１０と、記憶部１２０と、制御部１３０と、を含む。
【００３９】
無線送受信部１１０は、無線信号を送受信する。
【００４０】
記憶部１２０は、制御部１３０による制御に使用される各種情報を記憶する。記憶部１２０は、ホワイトリストを記憶する。
【００４１】
制御部１３０は、ＵＥ１００の各種の機能を制御する。接続状態において、サービングセルとの無線通信を行うよう無線送受信部１１０を制御する。
【００４２】
制御部１３０は、接続状態において、ＣＳＧセル又はハイブリッドセルから受信するＣＳＧ  ＩＤと、ホワイトリストと、に基づいて、アクセス権を有するＣＳＧセル又はハイブリッドセルを検出すると、当該セルとの接続を確立するための制御を行う。
【００４３】
制御部１３０は、接続状態において、サービングセルを介してＭＭＥ３００（及びＳ−ＧＷ）との通信を行う。
【００４４】
（２．２）ＭｅＮＢ
図５は、ＭｅＮＢ２００のブロック図である。図５に示すように、ＭｅＮＢ２００は、無線送受信部２１０と、ネットワーク通信部２２０と、記憶部２３０と、制御部２４０と、を含む。
【００４５】
無線送受信部２１０は、無線信号を送受信する。また、無線送受信部２１０は、１又は複数のマクロセルを形成する。
【００４６】
ネットワーク通信部２２０は、Ｘ２インターフェイス上で他のＭｅＮＢとの基地局間通信を行う。ネットワーク通信部２２０は、Ｓ１インターフェイス上でＭＭＥ３００との通信を行う。
【００４７】
記憶部２３０は、制御部２４０による制御に使用される各種情報を記憶する。制御部２４０は、ＭｅＮＢ２００の各種の機能を制御する。
【００４８】
（２．３）ＭＭＥ
図６は、ＭＭＥ３００のブロック図である。図６に示すように、ＭＭＥ３００は、ネットワーク通信部３１０と、記憶部３２０と、制御部３３０と、を含む。
【００４９】
ネットワーク通信部３１０は、Ｓ１インターフェイス上でＭｅＮＢ２００及びＨｅＮＢ ＧＷ５００との通信を行う。
【００５０】
記憶部３２０は、制御部３３０による制御に使用される各種情報を記憶する。
【００５１】
制御部３３０は、ＭＭＥ３００の各種の機能を制御する。制御部３３０は、ＨｅＮＢ ＧＷ５００−１に代わってＨｅＮＢ４００を管理するためのＨｅＮＢ ＧＷ５００−２へ切り替える場合において、ＭＭＥ３００とＨｅＮＢ４００との間に、ＨｅＮＢ ＧＷ５００−１を経由せず、かつ、ＨｅＮＢ ＧＷ５００−２を経由する第２の通信路を確立するための制御を行うことができる。
【００５２】
（２．４）ＨｅＮＢ
図７は、ＨｅＮＢ４００のブロック図である。図７に示すように、ＨｅＮＢ４００は、無線送受信部４１０と、ネットワーク通信部４２０と、記憶部４３０と、制御部４４０と、を含む。
【００５３】
無線送受信部４１０は、無線信号を送受信する。また、無線送受信部４１０は、ＣＳＧセル、ハイブリッドセル、又はオープンセルを形成する。
【００５４】
ネットワーク通信部４２０は、Ｓ１インターフェイス上でＨｅＮＢ ＧＷ５００との通信を行う。
【００５５】
記憶部４３０は、制御部４４０による制御に使用される各種情報を記憶する。
【００５６】
制御部４４０は、ＨｅＮＢ４００の各種の機能を制御する。制御部４４０は、ＨｅＮＢ ＧＷ５００−１に代わってＨｅＮＢ４００を管理するためのＨｅＮＢ ＧＷ５００−２へ切り替える場合において、ＭＭＥ３００とＨｅＮＢ４００との間に、ＨｅＮＢ ＧＷ５００−１を経由せず、かつ、ＨｅＮＢ ＧＷ５００−２を経由する第２の通信路を確立するための制御を行うことができる。
【００５７】
（２．５）ＨｅＮＢ ＧＷ
図８は、ＨｅＮＢ ＧＷ５００のブロック図である。図８に示すように、ＨｅＮＢ ＧＷ５００は、ネットワーク通信部５１０と、記憶部５２０と、制御部５３０と、を含む。
【００５８】
ネットワーク通信部５１０は、Ｓ１インターフェイス上でＭＭＥ３００及びＨｅＮＢ４００との通信を行う。
【００５９】
記憶部５２０は、制御部５３０による制御に使用される各種情報を記憶する。記憶部５２０には、ＨｅＮＢ ＧＷ５００の管理下にあるＨｅＮＢ４００（すなわち、ＨｅＮＢ ＧＷ５００とのＳ１接続を有するＨｅＮＢ４００）が登録されている。
【００６０】
制御部５３０は、ＨｅＮＢ ＧＷ５００の各種の機能を制御する。制御部５３０は、複数のＨｅＮＢ４００の集合を管理する。制御部５３０は、複数のＨｅＮＢ４００を代表してＭＭＥ３００との通信を行うようネットワーク通信部５１０を制御する。
【００６１】
（３）動作
以下において、本実施形態に係る移動通信システムの動作を動作パターン１から動作パターン３の順に説明する。
【００６２】
（３．１）動作パターン１
図９は、動作パターン１を説明するための図である。
【００６３】
図９に示すように、第１に、ＭＭＥ３００とＨｅＮＢ４００との間に、ＨｅＮＢ ＧＷ５００−１を経由する第１の通信路が確立される。ＨｅＮＢ４００との接続を有するＵＥ１００は、当該第１の通信路を用いてＭＭＥ３００との通信を行う。
【００６４】
ＭＭＥ３００又はＨｅＮＢ４００は、ＨｅＮＢ ＧＷ５００−１の稼働状況に基づいて、ＨｅＮＢ ＧＷ５００−１からＨｅＮＢ ＧＷ５００−２への切り替えを決定する。例えば、ＭＭＥ３００又はＨｅＮＢ４００は、第１の通信路を用いた通信における通信特性を測定し、測定結果に基づいて、ＨｅＮＢ ＧＷ５００−１の異常を検出した場合に、当該切り替えを決定する。第１の通信路を用いた通信におけるスループットが閾値よりも低下した、又は当該通信における応答時間が閾値を超えた場合に、ＨｅＮＢ ＧＷ５００−１の異常が生じたと判断できる。
【００６５】
ＨｅＮＢ ＧＷ５００−１からＨｅＮＢ ＧＷ５００−２への切り替えが決定されると、ＨｅＮＢ ＧＷ５００−２へ切り替える処理が開始される。
【００６６】
第２に、第１の通信路の一部を維持しながら、ＭＭＥ３００とＨｅＮＢ４００との間に、ＨｅＮＢ ＧＷ５００−１及びＨｅＮＢ ＧＷ５００−２の両方を経由する移行用通信路を確立する。詳細には、ＨｅＮＢ４００とＨｅＮＢ ＧＷ５００−１との間のＳ１インターフェイスを維持しながら、ＭＭＥ３００とＨｅＮＢ ＧＷ５００−２との間に新たなＳ１インターフェイスを確立し、かつ、ＨｅＮＢ ＧＷ５００−１とＨｅＮＢ ＧＷ５００−２との間にトンネリング接続を確立する。また、ＭＭＥ３００とＨｅＮＢ ＧＷ５００−１との間のＳ１インターフェイスは切断する。
【００６７】
以下においては、第１の通信路におけるＨｅＮＢ４００とＨｅＮＢ ＧＷ５００−１との間のＳ１インターフェイスを維持しながら移行用通信路を確立する一例を説明する。しかしながら、次のように移行用通信路を確立してもよい。詳細には、ＭＭＥ３００とＨｅＮＢ ＧＷ５００−１との間のＳ１インターフェイスを維持しながら、ＨｅＮＢ４００とＨｅＮＢ ＧＷ５００−２との間に新たなＳ１インターフェイスを確立し、かつ、ＨｅＮＢ ＧＷ５００−１とＨｅＮＢ ＧＷ５００−２との間にトンネリング接続を確立する。また、ＨｅＮＢ４００とＨｅＮＢ ＧＷ５００−１との間のＳ１インターフェイスは切断する。
【００６８】
第３に、移行用通信路の一部を維持しながら、ＭＭＥ３００とＨｅＮＢ４００との間に、ＨｅＮＢ ＧＷ５００−１を経由せず、かつ、ＨｅＮＢ ＧＷ５００−２を経由する第２の通信路を確立する。詳細には、ＭＭＥ３００とＨｅＮＢ ＧＷ５００−２との間のＳ１インターフェイスを維持しながら、ＨｅＮＢ４００とＨｅＮＢ ＧＷ５００−２との間に新たなＳ１インターフェイスを確立する。また、トンネリング接続は切断する。
【００６９】
このように、動作パターン１は、第１の通信路の一部を維持しながら、ＨｅＮＢ ＧＷ５００−１及びＨｅＮＢ ＧＷ５００−２の両方を経由する移行用通信路を確立した後、移行用通信路の一部を維持しながら、第２の通信路を確立する。これにより、ＨｅＮＢ４００とＭＭＥ３００との間の通信路が途切れることなく、ＨｅＮＢ ＧＷ５００−１からＨｅＮＢ ＧＷ５００−２への切り替えを行うことができる。
【００７０】
次に、動作パターン１の具体例１及び２を説明する。具体例１は、ＨｅＮＢ ＧＷ５００−１からＨｅＮＢ ＧＷ５００−２への切り替えをＭＭＥ３００主導で行う。これに対し、当該切り替えをＨｅＮＢ４００主導で行う。
【００７１】
図１０は、動作パターン１の具体例１のシーケンス図である。本シーケンスは、第１の通信路を確立する動作から第２の通信路を確立する動作までを示す。
【００７２】
図１０に示すように、ステップＳ１０１において、ＨｅＮＢ４００は、ＨｅＮＢ ＧＷ５００−１との間のＳ１インターフェイスの確立を要求するためのＳ１ Ｓｅｔｕｐ ＲｅｑｕｅｓｔメッセージをＨｅＮＢ ＧＷ５００−１に送信する。ＨｅＮＢ ＧＷ５００−１は、ＨｅＮＢ４００からのＳ１ Ｓｅｔｕｐ Ｒｅｑｕｅｓｔメッセージに応じて、ＨｅＮＢ４００との間にＳ１インターフェイスを確立する処理を開始するとともに、ＭＭＥ３００との間のＳ１インターフェイスの確立を要求するためのＳ１ Ｓｅｔｕｐ ＲｅｑｕｅｓｔメッセージをＭＭＥ３００に送信する。ＭＭＥ３００は、Ｓ１ Ｓｅｔｕｐ Ｒｅｑｕｅｓｔメッセージに応じて、ＨｅＮＢ ＧＷ５００−１との間にＳ１インターフェイスを確立する処理を開始する。
【００７３】
ステップＳ１０２において、ＭＭＥ３００は、ＨｅＮＢ ＧＷ５００−１との間のＳ１インターフェイスの確立が完了したことを示すＳ１ Ｓｅｔｕｐ ＣｏｍｐｌｅｔｅメッセージをＨｅＮＢ ＧＷ５００−１に送信する。ＨｅＮＢ ＧＷ５００−１は、ＨｅＮＢ４００との間のＳ１インターフェイスの確立が完了したことを示すＳ１ Ｓｅｔｕｐ ＣｏｍｐｌｅｔｅメッセージをＨｅＮＢ４００に送信する。
【００７４】
このようにして、第１の通信路が確立される。以下においては、移行用通信路を確立するための動作を説明する。
【００７５】
ステップＳ１０３において、ＵＥ１００は、ＨｅＮＢ４００との接続（ＲＲＣコネクション）を確立し、上位レイヤにおいてＭＭＥ３００との接続が確立（Ａｔｔａｃｈ）された状態になる。
【００７６】
ステップＳ１０４において、ＭＭＥ３００は、ＨｅＮＢ ＧＷ５００−１の稼働状況に基づいて、ＨｅＮＢ ＧＷ５００−１からＨｅＮＢ ＧＷ５００−２への切り替えを決定する。例えば、ＭＭＥ３００は、第１の通信路を用いた通信における通信特性を測定し、測定結果に基づいて、ＨｅＮＢ ＧＷ５００−１の異常を検出した場合に、当該切り替えを決定する。
【００７７】
ステップＳ１０５において、ＭＭＥ３００は、ＭＭＥ３００との間のＳ１インターフェイスをＨｅＮＢ ＧＷ５００−２経由に切り替えるためのＳ１ＧＷ Ｐａｔｈ Ｓｗｉｔｃｈメッセージ（図１２参照）をＨｅＮＢ ＧＷ５００−１に送信する。
【００７８】
ステップＳ１０６において、ＭＭＥ３００は、ＨｅＮＢ ＧＷ５００−１との間にトンネリング接続を確立するためのＳ１ＧＷ Ｐａｔｈ Ｓｗｉｔｃｈメッセージ（図１２参照）をＨｅＮＢ ＧＷ５００−２に送信する。
【００７９】
ステップＳ１０７において、ＨｅＮＢ ＧＷ５００−１は、ＨｅＮＢ ＧＷ５００−２経由でのＭＭＥ３００への接続（Ｓ１インターフェイスによる接続）が完了したことを示すＳ１ＧＷ Ｐａｔｈ Ｓｗｉｔｃｈ Ｃｏｍｐｌｅｔｅメッセージ（図１２参照）をＭＭＥ３００に送信する。
【００８０】
ステップＳ１０８において、ＨｅＮＢ ＧＷ５００−２は、ＨｅＮＢ ＧＷ５００−１との間のトンネリング接続の確立が完了したことを示すＳ１ＧＷ Ｐａｔｈ Ｓｗｉｔｃｈ Ｃｏｍｐｌｅｔｅメッセージ（図１２参照）をＭＭＥ３００に送信する。
【００８１】
このようにして、移行用通信路が確立される（ステップＳ１０９）。ここで、ＵＥ１００がＡｔｔａｃｈされた状態は維持されていることに留意すべきである。以下においては、第２の通信路を確立する動作を説明する。
【００８２】
ステップＳ１１０において、ＭＭＥ３００は、ＨｅＮＢ ＧＷ５００−１からＨｅＮＢ ＧＷ５００−２へＳ１インターフェイスを切り替えるためのＳ１ Ｐａｔｈ Ｓｗｉｔｃｈメッセージ（図１２参照）をＨｅＮＢ４００に送信する。ＨｅＮＢ４００は、ＭＭＥ３００からのＳ１ Ｐａｔｈ Ｓｗｉｔｃｈメッセージに応じて、ＨｅＮＢ ＧＷ５００−１からＨｅＮＢ ＧＷ５００−２へＳ１インターフェイスを切り替える。
【００８３】
このようにして、第２の通信路が確立される（ステップＳ１１１）。
【００８４】
ステップＳ１１２において、ＨｅＮＢ４００は、ＨｅＮＢ ＧＷ５００−２へのＳ１インターフェイスの切り替えが完了したことを示すＳ１ＧＷ Ｐａｔｈ Ｓｗｉｔｃｈ ＲｅｓｐｏｎｓｅメッセージをＭＭＥ３００に送信する。
【００８５】
図１１は、動作パターン１の具体例２のシーケンス図である。本シーケンスは、第１の通信路を確立する動作から第２の通信路を確立する動作までを示す。
【００８６】
図１１に示すように、第１の通信路の確立に関する動作（ステップＳ１５１からステップＳ１５３）は、動作パターン１の具体例１と同様であるため、第１の通信路を確立した後の動作を説明する。
【００８７】
ステップＳ１５４において、ＨｅＮＢ４００は、ＨｅＮＢ ＧＷ５００−１の稼働状況に基づいて、ＨｅＮＢ ＧＷ５００−１からＨｅＮＢ ＧＷ５００−２への切り替えを決定する。例えば、ＨｅＮＢ４００は、第１の通信路を用いた通信における通信特性を測定し、測定結果に基づいて、ＨｅＮＢ ＧＷ５００−１の異常を検出した場合に、当該切り替えを決定する。
【００８８】
ステップＳ１５５において、ＨｅＮＢ４００は、ＨｅＮＢ ＧＷ５００−１の切り替えを促すためのＳ１ Ｐａｔｈ Ｓｗｉｔｃｈ Ｒｅｑｕｅｓｔメッセージ（図１２参照）をＭＭＥ３００に送信する。
【００８９】
ステップＳ１５６において、ＭＭＥ３００は、ＨｅＮＢ４００からのＳ１ Ｐａｔｈ Ｓｗｉｔｃｈ Ｒｅｑｕｅｓｔメッセージに応じて、切り替え先のＨｅＮＢ ＧＷ５００−２を通知するためのＳ１ Ｐａｔｈ Ｓｗｉｔｃｈ Ｒｅｑｕｅｓｔ ＲｅｓｐｏｎｓｅメッセージをＨｅＮＢ４００に送信する。
【００９０】
ステップＳ１５８において、ＭＭＥ３００は、Ｓ１ Ｐａｔｈ Ｓｗｉｔｃｈ メッセージに応じて、ＭＭＥ３００との間のＳ１インターフェイスをＨｅＮＢ ＧＷ５００−２経由に切り替えるためのＳ１ＧＷ Ｐａｔｈ Ｓｗｉｔｃｈメッセージ（図１２参照）をＨｅＮＢ ＧＷ５００−１に送信する。ＨｅＮＢ ＧＷ５００−１は、ＭＭＥ３００からのＳ１ＧＷ Ｐａｔｈ Ｓｗｉｔｃｈメッセージに応じて、ＨｅＮＢ ＧＷ５００−２経由でのＭＭＥ３００への接続（Ｓ１インターフェイスによる接続）を開始するとともに、Ｓ１ＧＷ Ｐａｔｈ Ｓｗｉｔｃｈメッセージに対する応答であるＳ１ＧＷ Ｐａｔｈ Ｓｗｉｔｃｈ ＲｅｓｐｏｎｓｅメッセージをＭＭＥ３００に送信する（ステップＳ１５９）。
【００９１】
ステップＳ１６０において、ＭＭＥ３００は、ＨｅＮＢ ＧＷ５００−１との間にトンネリング接続を確立するためのＳ１ＧＷ Ｐａｔｈ Ｓｗｉｔｃｈメッセージ（図１２参照）をＨｅＮＢ ＧＷ５００−２に送信する。ＨｅＮＢ ＧＷ５００−２は、ＭＭＥ３００からのＳ１ＧＷ Ｐａｔｈ Ｓｗｉｔｃｈメッセージに応じて、ＨｅＮＢ ＧＷ５００−１との間にトンネリング接続を確立する処理を開始するとともに、Ｓ１ＧＷ Ｐａｔｈ Ｓｗｉｔｃｈメッセージに対する応答であるＳ１ＧＷ Ｐａｔｈ Ｓｗｉｔｃｈ ＲｅｓｐｏｎｓｅメッセージをＭＭＥ３００に送信する（ステップＳ１６１）。
【００９２】
これにより、ＨｅＮＢ ＧＷ５００−１とＨｅＮＢ ＧＷ５００−２との間にトンネリング接続が確立される（ステップＳ１６３）とともに、ＨｅＮＢ ＧＷ５００−２とＭＭＥ３００との間に経路が確立される（ステップＳ１６２）。そして、ＨｅＮＢ ＧＷ５００−２を経由するＳ１インターフェイスがＨｅＮＢ ＧＷ５００−１とＭＭＥ３００との間に確立される（ステップＳ１６４）。
【００９３】
ステップＳ１６５において、ＨｅＮＢ ＧＷ５００−１は、ＨｅＮＢ ＧＷ５００−２経由でのＭＭＥ３００への接続（Ｓ１インターフェイスによる接続）が完了したことを示すＳ１ＧＷ Ｐａｔｈ Ｓｗｉｔｃｈ ＣｏｍｐｌｅｔｅメッセージをＭＭＥ３００に送信する。
【００９４】
ステップＳ１６６において、ＨｅＮＢ ＧＷ５００−２は、ＨｅＮＢ ＧＷ５００−１との間のトンネリング接続の確立が完了したことを示すＳ１ＧＷ Ｐａｔｈ Ｓｗｉｔｃｈ ＣｏｍｐｌｅｔｅメッセージをＭＭＥ３００に送信する。
【００９５】
このようにして、移行用通信路が確立される。ここで、ＵＥ１００がＡｔｔａｃｈされた状態は維持されていることに留意すべきである。以下においては、第２の通信路を確立する動作を説明する。
【００９６】
ステップＳ１６７において、ＭＭＥ３００は、ＨｅＮＢ ＧＷ５００−１からＨｅＮＢ ＧＷ５００−２へＳ１インターフェイスを切り替えるためのＳ１ Ｐａｔｈ Ｓｗｉｔｃｈメッセージ（図１２参照）をＨｅＮＢ４００に送信する。ＨｅＮＢ４００は、ＭＭＥ３００からのＳ１ Ｐａｔｈ Ｓｗｉｔｃｈメッセージに応じて、ＨｅＮＢ ＧＷ５００−１からＨｅＮＢ ＧＷ５００−２へＳ１インターフェイスを切り替える処理を開始するとともに、Ｓ１ Ｐａｔｈ Ｓｗｉｔｃｈメッセージに対する応答であるＳ１ Ｐａｔｈ Ｓｗｉｔｃｈ Ｒｅｓｐｏｎｓｅメッセージ（図１２参照）をＭＭＥ３００に送信する（ステップＳ１６８）。
【００９７】
このようにして、第２の通信路が確立される（ステップＳ１６９）。
【００９８】
ステップＳ１７０において、ＨｅＮＢ４００は、ＨｅＮＢ ＧＷ５００−２へのＳ１インターフェイスの切り替えが完了したことを示すＳ１ＧＷ Ｐａｔｈ Ｓｗｉｔｃｈ CompleteメッセージをＭＭＥ３００に送信する。
【００９９】
（３．２）動作パターン２
次に、動作パターン２を説明する。図１３は、動作パターン２を説明するための図である。
【０１００】
図１３に示すように、第１に、ＭＭＥ３００とＨｅＮＢ４００との間に、ＨｅＮＢ ＧＷ５００−１を経由する第１の通信路が確立される。ＨｅＮＢ４００との接続を有するＵＥ１００は、当該第１の通信路を用いてＭＭＥ３００との通信を行う。
【０１０１】
ＭＭＥ３００又はＨｅＮＢ４００は、ＨｅＮＢ ＧＷ５００−１の稼働状況に基づいて、ＨｅＮＢ ＧＷ５００−１からＨｅＮＢ ＧＷ５００−２への切り替えを決定する。例えば、ＭＭＥ３００又はＨｅＮＢ４００は、第１の通信路を用いた通信における通信特性を測定し、測定結果に基づいて、ＨｅＮＢ ＧＷ５００−１の異常を検出した場合に、当該切り替えを決定する。第１の通信路を用いた通信におけるスループットが閾値よりも低下した、又は当該通信における応答時間が閾値を超えた場合に、ＨｅＮＢ ＧＷ５００−１の異常が生じたと判断できる。
【０１０２】
ＨｅＮＢ ＧＷ５００−１からＨｅＮＢ ＧＷ５００−２への切り替えが決定されると、ＨｅＮＢ ＧＷ５００−２へ切り替える処理が開始される。
【０１０３】
第２に、第１の通信路を切断する。これにより、ＨｅＮＢ４００との接続を有していたＵＥ１００は、ＭＭＥ３００との通信が不能な状態（Ｄｅｔｔａｃｈ）になる。
【０１０４】
第３に、ＭＭＥ３００とＨｅＮＢ４００との間に、ＨｅＮＢ ＧＷ５００−１を経由せず、かつ、ＨｅＮＢ ＧＷ５００−２を経由する第２の通信路を確立する。
【０１０５】
このように、動作パターン２は、第２の通信路を確立する前において、第１の通信路を切断する。これにより、ＨｅＮＢ ＧＷ５００−１からＨｅＮＢ ＧＷ５００−２への切り替えをシンプルな方法で行うことができる。
【０１０６】
次に、動作パターン２の具体例１及び２を説明する。具体例１は、ＨｅＮＢ ＧＷ５００−１からＨｅＮＢ ＧＷ５００−２への切り替えをＭＭＥ３００主導で行う。これに対し、具体例２は、当該切り替えをＨｅＮＢ４００主導で行う。
【０１０７】
図１４は、動作パターン２の具体例１のシーケンス図である。本シーケンスは、第１の通信路を確立する動作から第２の通信路を確立する動作までを示す。
【０１０８】
図１４に示すように、第１の通信路の確立に関する動作（ステップＳ２０１からステップＳ２０３）は、動作パターン１と同様であるため、第１の通信路を確立した後の動作を説明する。
【０１０９】
ステップＳ２０４において、ＭＭＥ３００は、ＨｅＮＢ ＧＷ５００−１の稼働状況に基づいて、ＨｅＮＢ ＧＷ５００−１からＨｅＮＢ ＧＷ５００−２への切り替えを決定する。例えば、ＭＭＥ３００は、第１の通信路を用いた通信における通信特性を測定し、測定結果に基づいて、ＨｅＮＢ ＧＷ５００−１の異常を検出した場合に、当該切り替えを決定する。
【０１１０】
ステップＳ２０５において、ＭＭＥ３００は、切り替え先のＨｅＮＢ ＧＷ５００−２を通知するためのＳ１ Ｐａｔｈ Ｓｗｉｔｃｈメッセージ（図１２参照）をＨｅＮＢ４００に送信する。なお、Ｓ１ Ｐａｔｈ Ｓｗｉｔｃｈメッセージは、切り替え先の候補となる複数のＨｅＮＢ ＧＷ５００の情報を含んでいてもよい。ＨｅＮＢ４００は、ＭＭＥ３００からのＳ１ Ｐａｔｈ Ｓｗｉｔｃｈメッセージに応じて、Ｓ１インターフェイスをＨｅＮＢ ＧＷ５００−１からＨｅＮＢ ＧＷ５００−２に切り替える処理を開始するとともに、Ｓ１ Ｐａｔｈ Ｓｗｉｔｃｈメッセージに対する応答であるＳ１ Ｐａｔｈ Ｓｗｉｔｃｈ Ｒｅｓｐｏｎｓｅメッセージ（図１２参照）をＭＭＥ３００に送信する（ステップＳ２０６）。
【０１１１】
ステップＳ２０７において、ＨｅＮＢ４００は、ＭＭＥ３００との間にＳ１インターフェイスを確立するよう要求するためのＳ１ Ｓｅｔｕｐ ＲｅｑｕｅｓｔメッセージをＨｅＮＢ ＧＷ５００−２に送信する。ＨｅＮＢ ＧＷ５００−１は、ＨｅＮＢ４００からのＳ１ Ｓｅｔｕｐ Ｒｅｑｕｅｓｔメッセージに応じて、ＭＭＥ３００との間にＳ１インターフェイスを確立する処理を開始するとともに、ＨｅＮＢ ＧＷ５００−２との間にＳ１インターフェイスを確立するよう要求するためのＳ１ Ｓｅｔｕｐ ＲｅｑｕｅｓｔメッセージをＭＭＥ３００に送信する。
【０１１２】
ステップＳ２０８において、ＭＭＥ３００は、ＨｅＮＢ ＧＷ５００−２からのＳ１ Ｓｅｔｕｐ Ｒｅｑｕｅｓｔメッセージに応じて、ＨｅＮＢ ＧＷ５００−２との間にＳ１インターフェイスを確立し、当該Ｓ１インターフェイスの確立が完了したことを示すＳ１ Ｓｅｔｕｐ ＣｏｍｐｌｅｔｅメッセージをＨｅＮＢ ＧＷ５００−２に送信する。また、ＨｅＮＢ ＧＷ５００−２は、ＨｅＮＢ ＧＷ５００−２との間のＳ１インターフェイスの確立が完了したことを示すＳ１ Ｓｅｔｕｐ ＣｏｍｐｌｅｔｅメッセージをＨｅＮＢ４００に送信する。
【０１１３】
ここで、ＨｅＮＢ４００との接続を有していたＵＥ１００は、Ｄｅｔｔａｃｈされた状態（ステップＳ２０９）となることに留意すべきである。その後、ＵＥ１００は、改めてＭＭＥ３００との接続を確立し、ＭＭＥ３００との通信が不能な状態になる（ステップＳ２１０）。
【０１１４】
図１５は、動作パターン２の具体例２のシーケンス図である。本シーケンスは、第１の通信路を確立する動作から第２の通信路を確立する動作までを示す。
【０１１５】
図１５に示すように、第１の通信路の確立に関する動作（ステップＳ２５１からステップＳ２５３）は、動作パターン１と同様であるため、第１の通信路を確立した後の動作を説明する。
【０１１６】
ステップＳ２５４において、ＭＭＥ３００は、切り替え先のＨｅＮＢ ＧＷ５００−２を通知するためのＳ１ Ｐａｔｈ Ｓｗｉｔｃｈメッセージ（図１２参照）をＨｅＮＢ４００に送信する。
【０１１７】
ステップＳ２５５において、ＨｅＮＢ４００は、Ｓ１ Ｐａｔｈ Ｓｗｉｔｃｈメッセージに対する応答であるＳ１ Ｐａｔｈ Ｓｗｉｔｃｈ Ｒｅｓｐｏｎｓｅメッセージ（図１２参照）をＭＭＥ３００に送信する。
【０１１８】
ステップＳ２５６において、ＨｅＮＢ４００は、ＭＭＥ３００との間にＳ１インターフェイスを確立するよう要求するためのＳ１ Ｓｅｔｕｐ ＲｅｑｕｅｓｔメッセージをＨｅＮＢ ＧＷ５００−２に送信する。ＨｅＮＢ ＧＷ５００−１は、ＨｅＮＢ４００からのＳ１ Ｓｅｔｕｐ Ｒｅｑｕｅｓｔメッセージに応じて、ＭＭＥ３００との間にＳ１インターフェイスを確立する処理を開始するとともに、ＨｅＮＢ ＧＷ５００−２との間にＳ１インターフェイスを確立するよう要求するためのＳ１ Ｓｅｔｕｐ ＲｅｑｕｅｓｔメッセージをＭＭＥ３００に送信する。
【０１１９】
ステップＳ２５７において、ＭＭＥ３００は、ＨｅＮＢ ＧＷ５００−２からのＳ１ Ｓｅｔｕｐ Ｒｅｑｕｅｓｔメッセージに応じて、ＨｅＮＢ ＧＷ５００−２との間にＳ１インターフェイスを確立し、当該Ｓ１インターフェイスの確立が完了したことを示すＳ１ Ｓｅｔｕｐ ＣｏｍｐｌｅｔｅメッセージをＨｅＮＢ ＧＷ５００−２に送信する。また、ＨｅＮＢ ＧＷ５００−２は、ＨｅＮＢ ＧＷ５００−２との間のＳ１インターフェイスの確立が完了したことを示すＳ１ Ｓｅｔｕｐ ＣｏｍｐｌｅｔｅメッセージをＨｅＮＢ４００に送信する。
【０１２０】
ステップＳ２５８において、ＨｅＮＢ４００は、ＨｅＮＢ ＧＷ５００−１の稼働状況に基づいて、ＨｅＮＢ ＧＷ５００−１からＨｅＮＢ ＧＷ５００−２への切り替えを決定する。例えば、ＭＭＥ３００は、第１の通信路を用いた通信における通信特性を測定し、測定結果に基づいて、ＨｅＮＢ ＧＷ５００−１の異常を検出した場合に、当該切り替えを決定する。
【０１２１】
ステップＳ２５９において、ＨｅＮＢ４００は、ＨｅＮＢ ＧＷ５００−２への切り替えを要求するためのＳ１ Ｐａｔｈ Ｓｗｉｔｃｈ Ｒｅｑｕｅｓｔメッセージ（図１２参照）をＭＭＥ３００に送信する。
【０１２２】
ステップＳ２６０において、ＭＭＥ３００は、ＨｅＮＢ４００からのＳ１ Ｐａｔｈ Ｓｗｉｔｃｈ Ｒｅｑｕｅｓｔメッセージに応じて、Ｓ１インターフェイスをＨｅＮＢ ＧＷ５００−２に切り替えるためのＳ１ Ｐａｔｈ Ｓｗｉｔｃｈメッセージ（図１２参照）をＨｅＮＢ４００に送信する。
【０１２３】
ステップＳ２６１において、ＨｅＮＢ４００は、Ｓ１ Ｐａｔｈ Ｓｗｉｔｃｈ Ｒｅｑｕｅｓｔメッセージに対する応答であるＳ１ Ｐａｔｈ Ｓｗｉｔｃｈ Ｒｅｓｐｏｎｓｅメッセージ（図１２参照）をＭＭＥ３００に送信する。
【０１２４】
ここで、ＨｅＮＢ４００との接続を有していたＵＥ１００は、Ｄｅｔｔａｃｈされた状態（ステップＳ２６２）となることに留意すべきである。その後、ＵＥ１００は、改めてＭＭＥ３００との接続を確立し、ＭＭＥ３００との通信が不能な状態になる（ステップＳ２６３）。
【０１２５】
（３．３）動作パターン３
次に、動作パターン３を説明する。図１６は、動作パターン３を説明するための図である。動作パターン３は、動作パターン２における手順を一部変更するものである。
【０１２６】
図１６に示すように、第１に、ＭＭＥ３００とＨｅＮＢ４００との間に、ＨｅＮＢ ＧＷ５００−１を経由する第１の通信路が確立される。ＨｅＮＢ４００との接続を有するＵＥ１００は、当該第１の通信路を用いてＭＭＥ３００との通信を行う。
【０１２７】
ＭＭＥ３００又はＨｅＮＢ４００は、ＨｅＮＢ ＧＷ５００−１の稼働状況に基づいて、ＨｅＮＢ ＧＷ５００−１からＨｅＮＢ ＧＷ５００−２への切り替えを決定する。例えば、ＭＭＥ３００又はＨｅＮＢ４００は、第１の通信路を用いた通信における通信特性を測定し、測定結果に基づいて、ＨｅＮＢ ＧＷ５００−１の異常を検出した場合に、当該切り替えを決定する。第１の通信路を用いた通信におけるスループットが閾値よりも低下した、又は当該通信における応答時間が閾値を超えた場合に、ＨｅＮＢ ＧＷ５００−１の異常が生じたと判断できる。
【０１２８】
ＨｅＮＢ ＧＷ５００−１からＨｅＮＢ ＧＷ５００−２への切り替えが決定されると、ＨｅＮＢ ＧＷ５００−２へ切り替える処理が開始される。
【０１２９】
第２に、第１の通信路を確立した状態で、第２の通信路を確立する。これにより、ＨｅＮＢ４００との接続を有していたＵＥ１００は、ＭＭＥ３００との通信が継続可能な状態になる。
【０１３０】
第３に、第２の通信路を確立した後において、第１の通信路を切断する。
【０１３１】
このように、動作パターン３は、第２の通信路を確立した後において、第１の通信路を切断する。これにより、ＨｅＮＢ４００とＭＭＥ３００との間の通信路が途切れることなく、ＨｅＮＢ ＧＷ５００−１からＨｅＮＢ ＧＷ５００−２への切り替えを行うことができる。
【０１３２】
（４）実施形態のまとめ
以上説明したように、ＭＭＥ３００とＨｅＮＢ４００との間の第１の通信路上に、ＨｅＮＢ４００を管理するＨｅＮＢ ＧＷ５００−１が設けられる移動通信システムに適用される通信制御方法は、ＨｅＮＢ ＧＷ５００−１に代わってＨｅＮＢ４００を管理するためのＨｅＮＢ ＧＷ５００−２へ切り替える場合において、ＭＭＥ３００とＨｅＮＢ４００との間に、ＨｅＮＢ ＧＷ５００−１を経由せず、かつ、ＨｅＮＢ ＧＷ５００−２を経由する第２の通信路を確立する。
【０１３３】
このように、ＨｅＮＢ ＧＷ５００−１の異常や故障などの理由により、ＨｅＮＢ ＧＷ５００−１を停止させることが好ましいケースにおいて、ＭＭＥ３００とＨｅＮＢ４００との間に、ＨｅＮＢ ＧＷ５００−１を経由せず、かつ、ＨｅＮＢ ＧＷ５００−２を経由する第２の通信路を確立することによって、ＨｅＮＢ ＧＷ５００−１に代わってＨｅＮＢ ＧＷ５００−２がＨｅＮＢ４００を管理することができる。したがって、ＨｅＮＢ ＧＷ５００−１を停止するケースに適切に対処できる。
【０１３４】
動作パターン１から動作パターン３は、ＭＭＥ３００又はＨｅＮＢ４００が、ＨｅＮＢ ＧＷ５００−１の稼働状況に基づいて、ＨｅＮＢ ＧＷ５００−１からＨｅＮＢ ＧＷ５００−２への切り替えを決定する。これにより、人手を介さずに、ＨｅＮＢ ＧＷ５００−１からＨｅＮＢ ＧＷ５００−２への切り替えを自動的に決定することができる。
【０１３５】
動作パターン１は、第１の通信路の一部を維持しながら、ＨｅＮＢ ＧＷ５００−１及びＨｅＮＢ ＧＷ５００−２の両方を経由する移行用通信路を確立した後、移行用通信路の一部を維持しながら、第２の通信路を確立する。これにより、ＨｅＮＢ４００とＭＭＥ３００との間の通信路が途切れることなく、ＨｅＮＢ ＧＷ５００−１からＨｅＮＢ ＧＷ５００−２への切り替えを行うことができる。
【０１３６】
動作パターン２は、第２の通信路を確立する前において、第１の通信路を切断する。これにより、ＨｅＮＢ ＧＷ５００−１からＨｅＮＢ ＧＷ５００−２への切り替えをシンプルな方法で行うことができる。
【０１３７】
動作パターン３は、第２の通信路を確立した後において、第１の通信路を切断する。これにより、ＨｅＮＢ４００とＭＭＥ３００との間の通信路が途切れることなく、ＨｅＮＢ ＧＷ５００−１からＨｅＮＢ ＧＷ５００−２への切り替えを行うことができる。
【０１３８】
［その他の実施形態］
上記のように、本発明は実施形態によって記載したが、この開示の一部をなす論述及び図面はこの発明を限定するものであると理解すべきではない。
【０１３９】
上述した動作パターン１から動作パターン３は、状況に応じて使い分けてもよい。例えば、ＨｅＮＢ４００との接続を確立しているＵＥ１００が存在しない場合には、シンプルな方法である動作パターン２を選択し、ＨｅＮＢ４００との接続を確立しているＵＥ１００が存在する場合には、当該接続を維持するために動作パターン１又は３を選択するとしてもよい。
【０１４０】
また、上述した各動作シーケンスは、相互に組み合わせて実施してもよい。
【０１４１】
上述した実施形態では、ＨｅＮＢ ＧＷ５００−１からＨｅＮＢ ＧＷ５００−２への切り替えを主として説明したが、当該切り替えの後において、ＨｅＮＢ ＧＷ５００−１の運用を再開する場合には、ＨｅＮＢ ＧＷ５００−２からＨｅＮＢ ＧＷ５００−１への切り替えを行ってもよい。ＨｅＮＢ ＧＷ５００−２からＨｅＮＢ ＧＷ５００−１への切り替えについても、上述した動作パターン１から動作パターン３の同様の手順が適用できる。
【０１４２】
なお、米国仮出願第６１／６１１９８７号（２０１２年３月１６日出願）の全内容が、参照により、本願明細書に組み込まれている。
【産業上の利用可能性】
【０１４３】
以上のように、本発明は、移動通信分野において有用である。
【図１】
0005890894.tif 000002
【図２】
0005890894.tif 000003
【図３】
0005890894.tif 000004
【図４】
0005890894.tif 000005
【図５】
0005890894.tif 000006
【図６】
0005890894.tif 000007
【図７】
0005890894.tif 000008
【図８】
0005890894.tif 000009
【図９】
0005890894.tif 000010
【図１０】
0005890894.tif 000011
【図１１】
0005890894.tif 000012
【図１２】
0005890894.tif 000013
【図１３】
0005890894.tif 000014
【図１４】
0005890894.tif 000015
【図１５】
0005890894.tif 000016
【図１６】
0005890894.tif 000017